(57)【要約】【課題】自動的に回転させて様々な像を表すことが可能なスティック装飾具およびスティック装飾具の作動方法を提供する。【解決手段】  スティック、スティックの上側に配置された第１装飾具本体、前記第１装飾具本体の下方に配置された第２装飾具本体、および、前記スティックを保持して回転させる回転装置からなるスティック装飾具であって、前記回転装置によって前記スティックを回転させると、第１装飾具本体および第２装飾具本体が回転し、第１帯状部材および第２帯状部材が回転し変形して様々な形状を表し、前記回転装置によって前記スティックの回転方向を反転させると、前記像が変化する。【選択図】図１
2014039804.tif 000002
【特許請求の範囲】
【請求項１】
スティック、スティックの上側に配置された第１装飾具本体、および、前記第１装飾具本体の下方に配置された第２装飾具本体からなるスティック装飾具であって、
前記第１装飾具本体は、前記スティックの上端部に取り外し可能に固定される第１固定部材と、前記第１固定部材の下方で前記スティックに回転可能に取り付けられる第２固定部材と、一端が前記第１固定部材に固定され、他端が前記第２固定部材に固定された曲げ可能な複数の第１帯状部材とからなり、前記スティックが前記第１固定部材および前記第２固定部材の中央に設けられた孔に挿入されており、前記スティックを回転させることで第１帯状部材が回転し変形して様々な形状を表し、
前記第２装飾具本体は、前記スティックに回転可能に取り付けられる第３固定部材と、前記第３固定部材の下方で前記スティックに回転可能に取り付けられる第４固定部材と、一端が前記第３固定部材に固定され、他端が前記第４固定部材に固定された曲げ可能な複数の第２帯状部材とからなり、前記スティックが前記第３固定部材および前記第４固定部材の中央に設けられた孔に挿入されており、前記スティックを回転させることで第２帯状部材が回転し変形して様々な形状を表すことを特徴とするスティック装飾具。
【請求項２】
前記第２固定部材と前記第３固定部材が互いに固定されており、前記第２固定部材と前記第３固定部材が一体となって回転することを特徴とする請求項１に記載のスティック装飾具。
【請求項３】
前記第１帯状部材および前記第２帯状部材の少なくとも１つが、捻じれた状態で取り付けられていることを特徴とする請求項１または２に記載のスティック装飾具。
【請求項４】
前記第１，４固定部材を前記スティックに回転可能に取り付け、前記第２，３固定部材を前記スティックに固定したことを特徴とする請求項１〜３のいずれか１項に記載のスティック装飾具。
【請求項５】
前記スティックに回転可能に固定される第５固定部材と、前記第５固定部材の下方で前記スティックに回転可能に取り付けられる第６固定部材と、一端が前記第５固定部材に固定され、他端が前記第６固定部材に固定された曲げ可能な複数の第３帯状部材とからなり、前記スティックが前記第５固定部材および前記第６固定部材の中央に設けられた孔に挿入されており、前記スティックを回転させることで第３帯状部材が回転し変形して様々な形状を表す第３装飾具本体が、前記第１装飾具本体および前記第２装飾具本体の少なくとも１つの内部に配置されていることを特徴とする請求項１〜４のいずれか１項に記載のスティック装飾具。
【請求項６】
前記第３装飾具本体の前記第５固定部材および前記第６固定部材は、一方が前記スティックに回転可能に取り付けられ、他方が前記スティックに固定されていることを特徴とする請求項５に記載のスティック装飾具。
【請求項７】
前記第３帯状部材が、捻じれた状態で取り付けられていることを特徴とする請求項５または６に記載のスティック装飾具。
【請求項８】
前記第２装飾具本体の下方に、さらに、少なくとも１つの第２装飾具本体を配置することを特徴とする請求項１〜７のいずれか１項に記載のスティック装飾具。
【請求項９】
前記第２固定具にＬＥＤを内蔵し、前記第１固定具に前記ＬＥＤ用のスイッチおよび電源を内蔵することを特徴とする請求項１〜８のいずれか１項に記載のスティック装飾具。
【請求項１０】
前記スティックの下端を保持して回転させる回転装置を備え、前記回転装置は、前記スティックを回転させるモーター、および前記モーターの作動を制御する制御部を有し、前記制御部によって、前記モーターは正回転、逆回転の切換が行われ、前記回転装置によって前記スティックが正回転および逆回転することを特徴とする請求項１〜９のいずれか１項に記載のスティック装飾具。
【請求項１１】
前記スティックを水平な状態で両端を保持して回転させる回転装置を備え、前記回転装置は、前記スティックを回転させるモーター、および前記モーターの作動を制御する制御部を有し、前記制御部によって、前記モーターは正回転、逆回転の切換が行われ、前記回転装置によって前記スティックが水平な状態で正回転および逆回転することを特徴とする請求項１〜９のいずれか１項に記載のスティック装飾具。
【請求項１２】
前記モーターの回転数、および正回転と逆回転の切換時間を、前記制御部によって自動的に変更することを特徴とする請求項１０または１１に記載のスティック装飾具。
【請求項１３】
前記モーターの回転数の変更、および正回転と逆回転の切換えを、リモコンによって操作することを特徴とする請求項１０〜１２のいずれか１項に記載のスティック装飾具。
【請求項１４】
前記スティックの下端は、着脱可能に回転装置に保持されていることを特徴とする請求項１０〜１３のいずれか１項に記載のスティック装飾具。
【請求項１５】
請求項１０〜１４のいずれ１項に記載のスティック装飾具の作動方法であって、
前記第２固定部材と前記第３固定部材が互いに固定されていると、第１装飾具本体または前記第２装飾具本体に捻じりを加えた状態で、前記回転装置によって前記スティックを回転させた後、前記スティックを反対方向に回転させると、第１装飾具本体または前記第２装飾具本体に加えられた捻じりが、もう一方の装飾具本体へと伝達されることを特徴とする回転装置を備えたスティック装飾具の作動方法。
【発明の詳細な説明】
【技術分野】
【０００１】
本発明は、回転装置によってスティックを回転させて残像効果によって様々な像を表すことのできるスティック装飾具、およびその作動方法に関する。
【背景技術】
【０００２】
従来、手動の回転操作により、ファンタステックな画像、映像を出すような装飾具や玩具は種々提案されている。例えば、手で動かすことによって、文字、記号や図形が空中に現れるよう見える空中残像顕出式団扇（特許文献１参照）等があるが、このような玩具の１つとしてスティックを回転させて残像効果によって様々な像を表すことができるスティック玩具等がある（特許文献２参照）。
【先行技術文献】
【特許文献】
【０００３】
【特許文献１】実用第３０８１８１１号公報
【特許文献２】実用第３１１６４４０号公報
【発明の概要】
【発明が解決しようとする課題】
【０００４】
従来のスティック玩具は手で回転させることで様々な像を表すことができるが、像を表す部分が１箇所だけであったので、慣れてくると像の変化に乏しくなると言う問題があった。また、単に置いてあるだけでは、実際にどのよな像が現れるのかを知ることはできない。そのために、販売する際に、店頭で実演しなければ利用者にアピールすることが難しい。また、置いてあるだけでは像が形成されないので置物として使用することができないという問題点があった。
【０００５】
そこで本発明は、２つの像を同時に表すことが可能で、さらに、自動的に回転させて様々な像を表すことが可能なスティック装飾具およびスティック装飾具の作動方法を提供することを目的とする。
【課題を解決するための手段】
【０００６】
本発明のスティック装飾具は、スティック、スティックの上側に配置された第１装飾具本体、および、前記第１装飾具本体の下方に配置された第２装飾具本体からなるスティック装飾具であって、前記第１装飾具本体は、前記スティックの上端部に取り外し可能に固定される第１固定部材と、前記第１固定部材の下方で前記スティックに回転可能に取り付けられる第２固定部材と、一端が前記第１固定部材に固定され、他端が前記第２固定部材に固定された曲げ可能な複数の第１帯状部材とからなり、前記スティックが前記第１固定部材および前記第２固定部材の中央に設けられた孔に挿入されており、前記スティックを回転させることで第１帯状部材が回転し変形して様々な形状を表し、前記第２装飾具本体は、前記スティックに回転可能に固定される第３固定部材と、前記第３固定部材の下方で前記スティックに回転可能に取り付けられる第４固定部材と、一端が前記第３固定部材に固定され、他端が前記第４固定部材に固定された曲げ可能な複数の第２帯状部材とからなり、前記スティックが前記第３固定部材および前記第４固定部材の中央に設けられた孔に挿入されており、前記スティックを回転させることで第２帯状部材が回転し変形して様々な形状を表すことを特徴とする。
【０００７】
そして、前記第２固定部材と前記第３固定部材が互いに固定されており、前記第２固定部材と前記第３固定部材が一体となって回転する。
【０００８】
さらに、前記スティックに回転可能に固定される第５固定部材と、前記第５固定部材の下方で前記スティックに回転可能に取り付けられる第６固定部材と、一端が前記第５固定部材に固定され、他端が前記第６固定部材に固定された曲げ可能な複数の第３帯状部材とからなり、前記スティックが前記第５固定部材および前記第６固定部材の中央に設けられた孔に挿入されており、前記スティックを回転させることで第３帯状部材が回転し変形して様々な形状を表す第３装飾具本体が、前記第１装飾具本体および前記第２装飾具本体の少なくとも１つの内部に配置されている。
【０００９】
前記第３装飾具本体の前記第５固定部材および前記第６固定部材は、一方が前記スティックに回転可能に取り付けられ、他方が前記スティックに固定されている。
【００１０】
また、前記第１〜３帯状部材の少なくとも１つが、捻じれた状態で取り付けられている。
【００１１】
前記第２装飾具本体の下方に、さらに、少なくとも１つの第２装飾具本体を配置する。
【００１２】
前記第２固定具にＬＥＤを内蔵し、前記第１固定具に前記ＬＥＤ用のスイッチおよび電源を内蔵する。
【００１３】
本発明のスティック装飾具を自動的に回転させるために、前記スティックの下端を保持して回転させる回転装置を備え、前記回転装置は、前記スティックを回転させるモーター、および前記モーターの作動を制御する制御部を有し、前記制御部によって、前記モーターは正回転、逆回転の切換が行われ、前記回転装置によって前記スティックが正回転および逆回転することができる。
【００１４】
また、本発明のスティック装飾具を自動的に回転させる別の形態として、前記スティックを水平な状態で両端を保持して回転させる回転装置を備え、前記回転装置は、前記スティックを回転させるモーター、および前記モーターの作動を制御する制御部を有し、前記制御部によって、前記モーターは正回転、逆回転の切換が行われ、前記回転装置によって前記スティックが水平な状態で正回転および逆回転することができる。
【００１５】
前記モーターの回転数、および正回転と逆回転の切換時間を、前記制御部によって自動的に変更することが可能であり、または、前記モーターの回転数の変更、および正回転と逆回転の切換えを、リモコンによって操作することも可能である。
【００１６】
前記スティックの下端は、着脱可能に回転装置に保持されている。
【００１７】
本発明の回転装置を備えたスティック装飾具の作動方法は、前記第２固定部材と前記第３固定部材が互いに固定されていると、第１装飾具本体または前記第２装飾具本体に捻じりを加えた状態で、前記回転装置によって前記スティックを回転させた後、前記スティックを反対方向に回転させると、第１装飾具本体または前記第２装飾具本体に加えられた捻じりが、もう一方の装飾具本体へと伝達されることを特徴とする。
【発明の効果】
【００１８】
本発明のスティック装飾具は、スティック、スティックの上側に配置された第１装飾具本体、および、前記第１装飾具本体の下方に配置された第２装飾具本体からなり、前記第１装飾具本体は、曲げ可能な複数の第１帯状部材を有し、前記スティックを回転させることで第１帯状部材が回転し変形して様々な形状を表し、前記第２装飾具本体は、曲げ可能な複数の第２帯状部材を有し、前記スティックを回転させることで第２帯状部材が回転し変形して様々な形状を表すことにより、２つの像を同時に表すことができるようになり、従来よりもより多数のそして様々な像を表すことができるようになる。
【００１９】
さらに、第３帯状部材が回転し変形して様々な形状を表す第３装飾具本体が、前記第１装飾具本体および前記第２装飾具本体の少なくとも１つの内部に配置されていることにより、３または４つの像を同時に表すことが可能となり、より視覚的に楽しめるものとなり、また、前記第１〜３帯状部材の少なくとも１つが、捻じれた状態で取り付けられている、あるいは、前記第３装飾具本体の前記第５固定部材および前記第６固定部材は、一方が前記スティックに回転可能に取り付けられ、他方が前記スティックに固定されていることによって、スティックの回転によって表れる像の変化がより複雑なものとなる。
【００２０】
前記第２装飾具本体の下方に、さらに、少なくとも１つの第２装飾具本体を配置することにより、装飾具本体をスティックに３段以上配置する構成として、より多彩な形状を表すとが可能となる。
【００２１】
前記第２固定具にＬＥＤを内蔵し、前記第１固定具に前記ＬＥＤ用のスイッチおよび電源を内蔵することにより、前記ＬＥＤで帯状部材に光を当てると、帯状部材の材質によっては、光を反射することで光による装飾が可能となる。
【００２２】
本発明のスティック装飾具を自動的に回転させるために、前記スティックの下端を保持して回転させる回転装置を備え、前記回転装置によって前記スティックが正回転および逆回転することができることによって、手でスティックを回転させることなく、自動的にスティックを回転させて、像を表すことが可能となる。
【００２３】
また、本発明のスティック装飾具を自動的に回転させる別の形態として、前記スティックを水平な状態で両端を保持して回転させる回転装置を備え、前記制御部によって、前記モーターは正回転、逆回転の切換が行われ、前記回転装置によって前記スティックが水平な状態で正回転および逆回転することができることによって、新たな像の変化を自動的に表すことが可能となる。
【００２４】
前記モーターの回転数、および正回転と逆回転の切換時間を、前記制御部によって自動的に変更する、そして、前記モーターの回転数の変更、および正回転と逆回転の切換えを、リモコンによって操作することにより、自動的にまたは意図して像の変化を行わせることができるようになる。
【００２５】
本発明の回転装置を備えたスティック装飾具の作動方法は、前記第２固定部材と前記第３固定部材が互いに固定されていると、第１装飾具本体または前記第２装飾具本体に捻じりを加えた状態で、前記回転装置によって前記スティックを回転させた後、前記スティックを反対方向に回転させると、第１装飾具本体または前記第２装飾具本体に加えられた捻じりが、もう一方の装飾具本体へと伝達されることによって、飾具本体によって形成される像の変化を意図して行うことができる。
【図面の簡単な説明】
【００２６】
【図１】本発明の第１の実施形態のスティック装飾具の斜視図である。
【図２】回転装置に取り付けた状態のスティック装飾具の斜視図である。
【図３】第１，２固定具の斜視図である。
【図４】ベース部材の平面図である。
【図５】帯状部材をベース部材に取り付けている状態を示す平面図である。
【図６】第１，２固定部材で第１帯状部材を固定した状態を示す部分拡大斜視図である。
【図７】第３，４固定部材で第２帯状部材を固定した状態を示す部分拡大斜視図である。
【図８】第２固定部材と第３固定部材を互いに固定した状態を示す部分拡大斜視図である。
【図９】本発明のスティック装飾具により表出される像の一例を示す概略図である。
【図１０】本発明の第２の実施形態のスティック装飾具の斜視図である。
【図１１】第２の実施形態において第２固定部材で第１帯状部材を固定した状態を示す部分拡大斜視図である。
【図１２】第２の実施形態において第３固定部材で第２帯状部材を固定した状態を示す部分拡大斜視図である。
【図１３】第２の実施形態において第３固定部材の上に第２固定部材を載せた状態を示す部分拡大斜視図である。
【図１４】本発明の第３の実施形態のスティック装飾具の斜視図である。
【図１５】第３装飾具本体の斜視図である。
【図１６】本発明の第４の実施形態のスティック装飾具の斜視図である。
【図１７】第１の実施形態のスティック装飾具の帯状部材に捻じりを加えたものの斜視図である。
【図１８】第３の実施形態のスティック装飾具の変形例を示す斜視図である。
【図１９】第３の実施形態のスティック装飾具により表出される像の一例を示す概略図である。
【図２０】第１の実施形態のスティック装飾具をリモコン操作する場合の斜視図である。
【図２１】スティック装飾具を回転装置に着脱可能に取り付けた状態の部分拡大図である。
【図２２】第５の実施形態のスティック装飾具の斜視図である。
【図２３】第６の実施形態のスティック装飾具の斜視図である。
【図２４】第６の実施形態のスティック装飾具の第１固定具および第２固定具の断面図である。
【発明を実施するための形態】
【００２７】
以下に図を用いて本発明のスティック装飾具１について詳しく説明する。図１が本発明の第１の実施形態のスティック装飾具１の斜視図である。
【００２８】
本発明の第１の実施形態のスティック装飾具１は、図１に示すように、第１装飾具本体２、第２装飾具本体３、およびスティック４から構成され、前記第１装飾具本体２の第１帯状部材９および前記第２装飾具本体３の第２帯状部材１０を変形させて２つの像を同時に形成するものである。
【００２９】
前記第１装飾具本体２は、前記スティック４の上端部に取り外し可能に固定される第１固定部材１１と、前記第１固定部材１１の下方で前記スティック４に回転可能に取り付けられる第２固定部材１２と、上端部が前記第１固定部材１１に固定され、下端部が前記第２固定部材１２に固定された曲げ可能な複数の第１帯状部材９とからなる。
【００３０】
前記第１固定部材１１は、前記スティック４に取り外し可能に固定された第１固定具６と第２固定具７で上下に挟まれて前記スティック４に固定されており、前記第１固定部材１１の上方に位置する前記第１固定具６を前記スティック４から取り外すことにより、前記第１固定部材１１は前記スティック４から取り外し可能となる。図３に示すように、前記第１固定具６および前記第２固定具７は樹脂製の環状の形状を有し、それぞれに設けられた挿入孔の大きさは前記スティック４が挿入されて密着する大きさに形成されている。これにより、前記第１固定具６および前記第２固定具７の挿入孔に前記スティック４が挿入されると、前記第１固定具６および前記第２固定具７は前記スティック４と密着して固定されるが、接着剤等を用いて固定していないので、前記第１固定具６および前記第２固定具７は手で前記スティック４から簡単に取り外すことができる。
【００３１】
前記第１固定部材１１は、図４（ａ）に示すような中心に貫通孔１６が設けられた略円形のベース部材１５を２枚貼り合わせたものであり、前記第２固定部材１２は、図４（ｂ）に示すような中心に貫通孔１８が設けられた略円形の１枚のベース部材１７である。前記貫通孔１６，１８には前記スティック４が挿入される。この時、前記第２固定部材１２が前記スティック４に対して回転可能とするために、前記貫通孔１８は前記スティック４が挿入された状態でも、前記第２固定部材１２が移動可能な程度の隙間が生じる大きさとなっている。一方、前記貫通孔１６にはスティック４が挿入された後、前記第１固定部材１１が第１固定具６と第２固定具７によって前記スティック４に固定されるために、前記貫通孔１６の大きさは前記スティック４が挿入可能な大きさであればよく、隙間が無い方がよい。
【００３２】
前記第１固定部材１１による前記第1帯状部材９の固定は、図６に示すように、２枚のベース部材１５によって前記第１帯状部材９の上端部を挟み込んで貼り合わせて行う。この際、前記第１帯状部材９を等間隔で配置するために、図４，５に示すように、前記ベース部材１５には、前記第１帯状部材９の位置決めを行うためのマーキングが放射状に設けられている。また、前記第１帯状部材９を簡単に固定するために、前記ベース部材１５の互いに貼り合わされる面にはあらかじめ接着剤が塗布される、あるいは粘着テープが貼り付けられることにより、粘着面となっており、使用前は前記粘着面を保護するためのシートが貼られている。さらにスティック装飾具１のデザイン性を高めるために、図４，５に示すように、前記ベース部材１５の平面形状を花びらの形にし、マーキングを花びらのデザインとすることもできる。
【００３３】
前記第２固定部材１２よる前記第1帯状部材９の固定は、図６に示すように、１枚のベース部材１７に前記第１帯状部材９の下端部を貼り付けて仮固定する。ベース部材１７は前記ベース部材１５と同様に接着面が設けられ、また、前記第１帯状部材９を位置決めするためのマーキングが設けられている。
【００３４】
前記第２装飾具本体３は、前記第２固定部材１２と共に前記スティック４に回転可能に取り付けられる第３固定部材１３と、前記第３固定部材１３の下方で前記スティック４に固定される第４固定部材１４と、上端部が前記第３固定部材１３に固定され、下端部が前記第４固定部材１４に固定された曲げ可能な複数の第２帯状部材１０とからなる。
【００３５】
前記第３固定部材１３は、中心に貫通孔１８が設けられた略円形の１枚のベース部材１７であり、前記第４固定部材１４は、中心に貫通孔１６が設けられた略円形のベース部材１５を２枚貼り合わせたものである。前記第３固定部材１３は、前記第２固定部材１２と共に前記スティック４に対して回転可能とするために、前記貫通孔１８は前記スティック４が挿入された状態でも、前記第３固定部材１３が移動可能な程度の隙間が生じる大きさとする。
【００３６】
前記第３固定部材１３による前記第２帯状部材１０の固定は、図７に示すように、１枚のベース部材１７に、前記第２帯状部材１０の上端部を貼り付けて仮固定する。全ての第２帯状部材１０を前記ベース部材１７に等間隔で貼り付けた後、前記第1帯状部材９が等間隔で仮固定された前記第２固定部材１２のベース部材１７と、前記第３固定部材１３のベース部材１７とを貼り合わせて、前記第1帯状部材９の下端部の固定、および前記第２帯状部材１０の上端部の固定を行う。これにより、図８に示すように、前記第２固定部材１２と前記第３固定部材１３とが互いに固定されて一体となる。
【００３７】
前記第４固定部材１４による前記第２帯状部材１０の下端部の固定は、図７に示すように、２枚のベース部材１５によって前記第２帯状部材１０の下端部を挟み込んで貼り合わせて行う。このようにして、第１固定部材１１、第２固定部材１２、第３固定部材１３および第４固定部材１４による、第１帯状部材９および第２帯状部材１０の固定が行われ、図１に示すように、第１装飾具本体２と第２装飾具本体３とが上下に繋がった状態となる。
【００３８】
前記第１固定部材１１は、上下に配置された第１固定具６と第２固定具７によってスティック４に取り外し可能に固定されているが、前記第３固定部材１３は、前記第３固定部材１３の下方に前記スティック４に取り付けられたストッパー８によって保持されている。これにより、前記第３固定部材１３は下側への移動が阻止されているが、回転は可能である。前記第４固定部材１４は、前記第４固定部材１４の上下に前記スティック４に取り付けられたストッパー８によって固定されている。これにより、前記第４固定部材１４はスティック４に固定される。前記ストッパー８の個数および配置箇所は適宜変更可能である。前記第１，４固定部材１１，１４を回転可能に前記スティック４に取り付け、前記第２，３固定部材１２，１３を前記スティック４の取り外し可能に固定することもできる。これにより、スティック装飾具１はより多様な形状に変化することができる。
【００３９】
前記第１固定具６、前記第２固定具７および前記ストッパー８は樹脂製の環状の形状を有し、それぞれに設けられた挿入孔の大きさは前記スティック４が挿入されて密着する大きさに形成されている。これにより、前記第１固定具６、前記第２固定具７および前記ストッパー８の挿入孔に前記スティック４が挿入されると、前記第１固定具６、前記第２固定具７および前記ストッパー８は前記スティック４と密着して固定されるが、接着剤等を用いて固定していないので、前記第１固定具６、前記第２固定具７および前記ストッパー８は手で前記スティック４から取り外すことができる。
【００４０】
前記ベース部材１５，１７に、第１，２帯状部材９，１０を貼り付ける方法について説明する。例えば、前記第１固定部材１１のベース部材１５に前記第１帯状部材９の上端部を固定する場合、図５に示すように、接着面を利用してベース部材１５の表面に第１帯状部材９を順番に貼り付けていく。ここでは、１６本の第１帯状部材１６を用意して前記ベース部材１５に設けられたマーキングを利用して等間隔で順番に貼り付けていく。
【００４１】
前記第１固定部材１１の場合は、１つのベース部材１５に全ての第１帯状部材９を貼り付けたら、もう１つのベース部材１５を上から貼り合わせて、２つのベース部材１５で全ての第１帯状部材９を挟み込んで接着して固定する。これにより、第１帯状部材９の一端が前記第１固定部材１１に固定される。第２，３固定部材１２，１３の場合は、それぞれベース部材１７に第１，２帯状部材９，１０を貼り付けた後、互いに貼り合わせて、２つのベース部材１７で第１帯状部材９の下端部と第２帯状部材１０の上端部を挟み込んで固定する。第４固定部材１４は第１固定部材１１と同様に２つのベース部材１５によって第２帯状部材１０の下端部を挟み込んで固定する。前記ベース部材１５，１７を互いに貼り合わせる方法は特に接着面を用いるものに限定するものではなく、様々な固定方法を用いることが可能である。
【００４２】
前記第１，２帯状部材９，１０は厚さ１０〜１２０μｍであり、材質としては、フィルム、あるいは紙、プラスチック等、適度な弾性力を有する材質を用いており、スティック４の回転によって容易に曲がることで様々な像を表すことができる。また、前記第１，２帯状部材９，１０の表面にホログラム加工、ミラー加工、蓄光加工、蛍光加工を施したり、様々な色を組み合わせたりすることで、像を表す際によりより綺麗な視覚効果を与えることができる。前記スティック４は直径３ｍｍ〜６ｍｍの円形の断面を有しており、プラスチック等の材質で形成する。
【００４３】
また、第１帯状部材９と第２帯状部材１０の長さは、同じ長さとするだけではなく、異なる長さとすることも可能であり、異なる長さとした場合には、形成される像の大きさが異なるものとなる。そして、前記第１，２帯状部材９，１０を予め変形させておくことによって、形成される像の形状を変更することも可能である。
【００４４】
このような、図１に示すような前記第１装飾具本体２および前記第２装飾具本体３を前記スティック４に取り付けたスティック装飾具１は、手でスティック４を回転させることで前記第１装飾具本体２および前記第２装飾具本体３によって２つの像が同時に形成されるが、また、前記スティック４の回転を途中で反転させると、像が変化し、様々な形状が表れる。特に、反転を繰り返すこと、あるいは反転させるタイミングによってより像の形状は変化に富んだものとなる。
【００４５】
本発明のスティック装飾具１をさらに発展させた形態として、図２に示すように、前記スティック４を自動的に回転させる回転装置５を備えたものがある。本実施形態では前記回転装置５によって前記スティック４を回転させることによって、前記第１装飾具本体２の第１帯状部材９および前記第２装飾具本体３の第２帯状部材１０を変形させて像を自動的に形成するものである。前記回転装置５以外は、全て第1の実施形態のスティック装飾具１をそのまま用いており説明は省略する。
【００４６】
前記回転装置５は、前記スティック４を回転させるモーター、および前記モーターの作動を制御する制御部を内蔵する。また、前記モーターの電源として電池を内蔵しており、前記回転装置５を作動させるスイッチ（図示せず）も設けられている。前記制御部は、前記モーターの回転を所定の時間で反転させる制御を行う。つまり、前記制御部は前記モーターの正回転と逆回転の切換を制御し、さらに、前記モーターの回転速度、および正回転と逆回転の切換を行う時間の制御も行うことが可能である。切換の時間は例えば５秒とするが、この時間は適宜設定可能であり、設定変更するスイッチを設けることもできる。前記スティック４は前記回転装置５に取り外し可能に固定されているので、スティック４を手で回すことも可能である。前記電源は電池ではなく外部電源とすることも可能である。
【００４７】
前記回転装置５を備えたスティック装飾具１の作動方法について説明する。前記回転装置５のスイッチをＯＮにするとモーターが正回転し、前記スティック４が回転することで、前記第１，２装飾具本体２，３の第１，２帯状部材９，１０が変形して、上下に繋がった２つの像が表れる。そして、前記回転装置５の制御部によってモーターの回転を反転させて逆回転にする。すると、前記スティック４の回転が逆になる時に、前記第１，２装飾具本体２，３の第１，２帯状部材９，１０が捻じれたりして、例えば、図９に示すように、像が変化する。
【００４８】
上述のように、前記モーターの回転を反転させるたびに、前記第１，２装飾具本体２，３の像が変化するがこのままでは像の変化はそれほど大きくはならない。また、その像がどのような形状になるかも制御は出来ない。そこで、前記回転装置５を作動させる前に、予め、第１，２装飾具本体２，３のいずれかに捻じりを加えて帯状部材９，１０を変形させておく。例えば、第１装飾具本体２だけに捻じりを加えて第１帯状部材９を変形させた状態で前記回転装置５を作動させて前記スティック４を回転させる。すると、例えば、図９（ａ）に示すように、前記第１装飾具本体２は上下に２つの楕円を重ねたような像を形成し、前記第２装飾具本体３は楕円形の像を形成する。
【００４９】
そして、前記回転装置５によって前記スティック４の回転を反転させると、前記第１装飾具本体２に加えられた捻じりが、前記第２固定部材１２および前記第３固定部材１３によって、前記第２装飾具本体３へと伝達されて、前記第２装飾具本体３が捻じられて前記第２帯状部材１０が変形した状態となる。その結果、図９（ｂ）に示すように、前記第１装飾具本体２によって楕円形の像が形成され、前記第２装飾具本体３は上下に２つの楕円を重ねたような像を形成する。さらに、前記スティック４を反転させると、前記第２装飾具本体３の捻じりは前記第１装飾具本体２へと再び伝達される。
【００５０】
このように前記回転装置５によって前記スティック４の回転を反転させるたびに、前記第１，２装飾具本体２，３のいずれかに加えられている捻じりは、もう一方の装飾具本体へと伝達されることとなる。そして、前記第１，２装飾具本体２，３によって形成される像も大きく変化し、見ている人を楽しませることができる。
【００５１】
本発明のスティック装飾具１は、回転装置５によってスティック４を回転させることで自動的に像を表すことができ、また、前記スティック４の回転を反転させることで、第１，２装飾具本体２，３が形成する像を自動的に変化させることが可能となり、さらに、第２固定部材１２と第３固定部材１３とを互いに固定することによって、一方の装飾具本体に捻じりを加えて置くと、スティック４を反転させるたびに、捻じりが他方の装飾具本体へと伝達されることによって、像の変化をより効果的に行うことが可能となる。
【００５２】
前記回転装置５の制御部についてさらに詳細に説明する。前記回転装置５は、モーターの回転によって前記スティック４を回転させるが、前記モーターの回転数を前記回転装置５に内蔵された前記制御部によって自動的に変更可能とする。例えば、所定の時間が経過すると、前記モーターの回転数を上げ、さらに所定の時間が経過すると、回転数を下げて元の回転数にすることができる。このような回転数の変化により、スティック４の回転数も自動的に変更され、前記前記第１，２装飾具本体２，３によって形成される像が変化する。前記制御部による回転数の制御は、様々な方法が可能であり、回転数、回転時間をスイッチなどにより変更可能とすることもできる、
【００５３】
前記制御部は、前記モーターの正回転と逆回転の切換についても制御するが、切換時間の制御も行い、所定の時間で切り替えるように予めプログラムすること、さらに、スイッチなどで切換時間を変更可能とすることもできる。さらに、前記モーターの回転数の変更と、正回転と逆回転の切換時間を組み合わせて制御することも可能である。
【００５４】
前記モーターの回転数と、正回転と逆回転の切換動作を、図２０に示すように、リモコン３６によって操作することも可能である。前記リモコン３６のボタンを操作することで、回転数の上げ下げ、正回転と逆回転の切換え、さら、前記回転装置５のＯＮ／ＯＦＦを行うことができる。図２０に示すリモコン３６は、３つのボタン３７，３８，３９が設けられており、ボタン３７によって前記回転装置５のＯＮ／ＯＦＦを操作し、ボタン３８によって回転数の上げ下げを操作し、前記ボタン３９によってモーターの正回転と逆回転の切換を行う。
【００５５】
前記ボタン３８は左右に押す操作で、モーターの回転数を変更する。例えば、前記ボタン３８を左に押すと回転数が上がり、右に押すと回転数が下がる。そして、前記ボタン３９を左右に押す操作で、正回転と逆回転の切換を行う。例えば、記ボタン３９を右に押すと正回転となり、左に押すと逆回転となる。このようなリモコンによる操作方法は特に限定するものではなく、様々な形態が可能である。このようなリモコンを用いることにより、離れた場所からでも前記回転装置５を操作することが可能となり、より簡単に操作することができるようになる。
【００５６】
前記スティック４は、前記回転装置５に着脱可能に固定されている。これにより、スティック装飾具１を交換することも可能であり、また、手動で前記スティック装飾具１を回転させることも可能である。前記スティック４の固定方法としては、図２１に示すように、前記回転装置５の軸４７の中央の開口に前記スティック４を挿入し、２つの止めネジ４８を締め付けて前記スティック４を両側から固定する方法を用いる。このようなスティック４の固定方法は特に限定するものではなく、前記スティック４が着脱可能であれば他の固定方法を用いることも可能である。
【００５７】
次に、第２の実施形態のスティック装飾具１’について説明する。第２の実施形態のスティック装飾具１’は、第１の実施形態のスティック装飾具１の第２固定部材１２と前記第３固定部材１３とを互いに固定せずに、別々に構成したものであり、回転装置５も備えている。そのため、第２の実施形態のスティック装飾具１’において、前記第１の実施形態のスティック装飾具１と同じ部材については同じ符号を用いて説明し、詳細な説明は省略する。
【００５８】
第２の実施形態のスティック装飾具１’は、図１０に示すように、第１装飾具本体２’、第２装飾具本体３’、スティック４、および回転装置５から構成され、前記回転装置５によって前記スティック４を回転させることによって、前記第１装飾具本体２’の第１帯状部材９および前記第２装飾具本体３の第２帯状部材１０を変形させて像を自動的に形成するものである。
【００５９】
前記第１装飾具本体２’は、第１固定部材１１と、前記第１固定部材１１の下方で前記スティック４に回転可能に取り付けられる第２固定部材１２’と、一端が前記第１固定部材１１に固定され、他端が前記第２固定部材１２’に固定された複数の第１帯状部材１０とからなる。前記第１固定部材１１は、前記スティック４に取り外し可能に固定された第１固定具６と第２固定具７で上下に挟まれて前記スティック４に固定されている。
【００６０】
前記固定部材１１はベース部材１５を２枚貼り合わせたものであり、前記第２固定部材１２’はベース部材１７を２枚貼り合わせたものである。前記第１固定部材１１による前記第1帯状部材９の固定は、２枚のベース部材１５によって前記第１帯状部材９の上端部を挟み込んで貼り合わせて行う。そして、前記第２固定部材１２’による前記第１帯状部材９の固定は、第１の実施形態とは異なり、図１１に示すように、２枚のベース部材１７によって前記第１帯状部材９の下端部を挟み込んで貼り合わせて行う。
【００６１】
前記第２装飾具本体３’は、前記スティック４に回転可能に取り付けられる第３固定部材１３’と、前記第３固定部材１３’の下方で前記スティック４に取り付けられる第４固定部材１４と、上端部が前記第３固定部材１３’に固定され、下端部が前記第４固定部材１４に固定された曲げ可能な複数の第２帯状部材１０とからなる。
【００６２】
前記第３固定部材１３’は前記ベース部材１７を２枚貼り合わせたものであり、前記第４固定部材１４は前記ベース部材１５を２枚貼り合わせたものである。前記第３固定部材１３’による前記第２帯状部材１０の固定は、第１の実施形態とは異なり、図１２に示すように、２枚のベース部材１７によって前記第２帯状部材１０の上端部を挟み込んで貼り合わせて行う。そして、前記第４固定部材１４による前記第２帯状部材１０の固定は、２枚のベース部材１５によって前記第２帯状部材１０の下端部を挟み込んで貼り合わせて行う。前記ベース部材１５，１７に、第１，２帯状部材９，１０を貼り付ける方法は第１の実施形態と同じであるので詳細な説明は省略する。
【００６３】
上述の様な第１装飾具本体２’と前記第２装飾具本体３’をスティック４に上下に配置する。この時、前記第１装飾具本体２’の第１固定部材１１は上下に配置された第１固定具６と第２固定具７によってスティック４に取り外し可能に固定されており、前記第３固定部材１３’は、前記第３固定部材１３’の下側に前記スティック４に取り付けられたストッパー８によって保持されている。これにより、前記第３固定部材１３は下側への移動が阻止される。そして、図１３に示すように、前記第３固定部材１３’の上に前記第２固定部材１２’が載った状態となっている。ただし、本実施形態では前記第２固定部材１２’と前記第３固定部材１３’とは互いに固定されていない。前記第４固定部材１４は、前記第４固定部材１４の上下に前記スティック４に取り付けられたストッパー８によって固定されている。これにより、前記第４固定部材１４はスティック４に固定される。前記ストッパー８の個数および配置箇所は適宜変更可能である
【００６４】
前記スティック装飾具１’は上述の様に前記第１装飾具本体２’と前記第２装飾具本体３’が取り付けられた前記スティック４を前記回転装置５によって保持し回転させる。前記回転装置５の構造は第１の実施形態と同じである。
【００６５】
第２の実施形態のスティック装飾具１’の作動方法について説明する。スイッチをＯＮにするとモーターが正回転し、前記スティック４が回転することで、前記第１，２装飾具本体２’，３’の第１，２帯状部材９，１０が変形して、上下に２つの像が表れる。そして、前記回転装置５の制御部によってモーターの回転を反転させて逆回転にする。すると、前記スティック４の回転が逆になる時に、前記第１，２装飾具本体２’，３’の第１，２帯状部材９，１０が捻じれたり変形して、像が変化する。
【００６６】
前記第２固定部材１２’と前記第３固定部材１３’とは互いに固定されていないので別々に動くが、前記第２固定部材１２’が前記第３固定部材１３’の上に載っていするので場合によっては摩擦力等によって共に回転する場合もある。前記ストッパー８を下方に移動させていくと、前記第２固定部材１２’と前記第３固定部材１３’とを上下に間隔を開けることができる。この場合は、前記第２固定部材１２’と前記第３固定部材１３’とが互いに作用することはほとんどなく、前記第１装飾具本体２’と前記第２装飾具本体３’はほぼ別々に回転して像を形成する。
【００６７】
しかしながら、上述の様な前記第２固定部材１２’と前記第３固定部材１３’とが上下にはなれた状態から前記ストッパー８を上方に移動させて、前記第３固定部材１３’を前記第２固定部材１２’と接触させ、さらに、前記第３固定部材１３’で前記第２固定部材１２’を押し上げてやると、前記第２固定部材１２’が前記第３固定部材１３’に保持された状態となる。このような状態で、前記回転装置５によって前記スティック４を回転させ、さらに反転させると、例えば、第１装飾具本体２’だけに捻じりを加えて第１帯状部材９を変形させていると、その捻じりは前記第２固定部材１２’および前記第３固定部材１３’によって、前記第２装飾具本体３’へと伝達されて、前記第２装飾具本体３’が捻じられて前記第２帯状部材１０が変形した状態となる場合もある。しかしながら、前記第２固定部材１２’と前記第３固定部材１３’は互いに固定されていないので、捻じりが伝達されない場合もある。
【００６８】
前記ストッパー８を更に上方に移動させると、前記第１帯状部材９の下側部分が前記第２固定部材１２’よりも下方へと垂れ下がった状態となり、前記第２帯状部材１０の上側部分と接する状態となる。このような状態になると、前記第１帯状部材９と前記第２帯状部材１０が接触することによって、一方の装飾具本体２’，３’に加えられた捻じりが他方の装飾具本体２’，３’へと伝達され易くなる。
【００６９】
このように、第２の実施形態のスティック装飾具１’は、ストッパー８を移動させることで、第１装飾具本体２’および第２装飾具本体３’によって形成される像を変えることが可能となる。
【００７０】
次に、第３の実施形態のスティック装飾具２０について説明する。第３の実施形態のスティック装飾具２０は、第３装飾具本体２３を用いたものであり、さらに、第３装飾具本体２３の第３帯状部材２４に捻じりを加えたものである。本実施形態について図面を用いて詳細に説明する。
【００７１】
前記スティック装飾具２０は、第１の実施形態のスティック装飾具１と同じ構造の第１装飾具本体２、第２装飾具本体３およびスティック４を用いたものであり、図１４に示すように、前記第２装飾具本体３内に前記第３装飾具本体２３を配置したものである。よって、第１装飾具本体２、第２装飾具本体３およびスティック４に関する詳細な説明は省略し、ここでは第３装飾具本体２３を中心に説明する。
【００７２】
前記第３装飾具本体２３は、図１５に示すように、前記スティック４に取り付けられる第５固定部材２５と、前記第５固定部材２５の下方で前記スティック４に回転可能に取り付けられる第６固定部材２６と、上端部が前記第５固定部材２５に固定され、下端部が前記第６固定部材２６に固定された曲げ可能な複数の第３帯状部材２４とからなる。前記第５固定部材２５は前記第１固定部材１１と同様に、貫通孔１６が設けられた略円形のベース部材１５を２枚貼り合わせたものであり、前記第６固定部材２６は前記第２，３固定部材１２，１３に用いられているベース部材１７を２枚貼り合わせたものを用いる。
【００７３】
前記第３帯状部材２４は、前記第１，２帯状部材９，１０と同じ材質を用いるが、前記第３装飾具本体２３を前記第２装飾具本体３内に配置するために、長さは前記帯状部材１０の半分以下とする。さらに、前記第３帯状部材２４の両端を、前記第５固定部材２５と前記第６固定部材２６に固定する際には、例えば、前記第５固定部材１５に一端を固定した後、前記第３帯状部材２４に半回転の捻じりを加えた状態で前記第６固定部材２６に他端を固定する。この際に、全ての前記第３帯状部材２４を同一方向に捻じりを加えておく。前記第３帯状部材２４を前記第５固定部材２５と前記第６固定部材２６に固定する方法は、前記第１，２帯状部材９，１０と同様の方法を用いる。
【００７４】
このように全ての第３帯状部材２４に捻じりを加えた第３装飾具本体２３は、前記第３帯状部材２４として弾性力を有する材質を用いているためにその捻じれを解消しようとする力が生じることによって、図１５に示すように、前記スティック４を回転させていなくても前記第３装飾具本体２３全体が捻じられた状態へと変形する。このような状態の前記第３装飾具本体２３を回転させるとさらなる変形が生じ、様々な像を表すことができる。
【００７５】
前記第３装飾具本体２３を前記スティック４に配置する際には、前記第２装飾具本体２の第３固定部材１３と第４固定部材１４の間に、前記第５固定部材２５と前記第６固定部材２６が位置するように配置する。これにより、前記第２装飾具本体２の中に前記第３装飾具本体２３が位置するようになる。また、この時、前記第３装飾具本体２３の前記第５固定部材２５は前記スティック４に固定し、前記第６固定部材２６は前記スティック４に回転可能に配置する。前記第５固定部材２５の固定方法は、第１の実施形態のスティック装飾具１に用いているストッパー８を前記第５固定部材２５の下に配置する方法、前記ストッパー８を前記第５固定部材２５の上下に配置する方法、あるいは、前記第５固定部材２５の貫通孔を小さくしておき前記スティック４を嵌め込むことで固定する。
【００７６】
そして、前記第５固定部材２５の上には、前記第３固定部材１３が位置するが、前記第３固定部材１３は前記第５固定部材２５の上に載っているだけであるので、回転は可能であり、また、前記スティック４に沿って上方には移動可能な状態である。また、前記第３固定部材１３は前記第２固定部材１２と一体となっているので、前記第２固定部材１２も前記第３固定部材１３と共に、回転可能で、かつ、前記スティック４に沿って上方に移動可能な状態となっている。
【００７７】
前記第６固定部材２６と前記第４固定部材１４との間は、前記第４固定部材１４の下方に配置したストッパー８によって適宜変更可能である。図１５に示すように、前記第３固定部材１３と前記第４固定部材１４とのほぼ中間に前記第６固定部材２６が位置するように、前記第４固定部材１４を配置しているが、前記ストッパー８を上へと移動させて前記第４固定部材１４を前記第６固定部材２６と接するように配置することも可能である。
【００７８】
このように、前記スティック４に３つの装飾具本体を取り付けたスティック装飾具２０は、前記スティック４を回転させることによって３つの像が形成され、より像の変化を楽しめるものとなる。また、他の実施形態と同様に、回転装置５を用いて自動的に回転させることも可能である。
【００７９】
前記第３装飾具本体２３は、前記第２装飾具本体３内ではなく前記第１装飾後本体２内に配置することも可能であり、このような変更は利用者が行うこともできる。また、前記第３装飾具本体２３を前記第１装飾具本体２および前記第２装飾具本体３内の両方に配置し、４つの像を表すものとすることも可能である。
【００８０】
そして、前記第３装飾具本体２３の第３帯状部材２４に加えた捻じりを、第１装飾具本体２の第１帯状部材９、第２装飾具本体３の帯状部材１０に加えることも可能である。さらに、第１の実施形態のスティック装飾具１および第２の実施形態のスティック装飾具１’においても帯状部材に捻じりを加えることは可能であり、第１の実施形態のスティック装飾具１の帯状部材９，１０に捻じりを加えたものが図１７に示すものである。
【００８１】
第３の実施形態のスティック装飾２０の変形例であるスティック装飾具２０’について説明する。前記スティック装飾具２０’は、図１８に示すように、第１装飾具本体２、第２装飾具本体３、前記第２装飾具本体３内に配置された第３装飾具本体２３’、およびスティック４から構成される。前記第３装飾具本体２３'は、前記スティック４に回転可能に取り付けられる第５固定部材２５’と、前記第５固定部材２５’の下方で前記スティック４に固定される第６固定部材２６’と、上端部が前記第５固定部材２５’に固定され、下端部が前記第６固定部材２６’に固定された曲げ可能な複数の第３帯状部材２４とからなる。
【００８２】
前記第５固定部材２５’は、貫通孔１６が設けられた略円形のベース部材１７を２枚貼り合わせたものであり、前記第６固定部材２６は’略円形のベース部材１５を２枚貼り合わせたものを用いる。そして、前記第３帯状部材２４は、前記第３装飾具本体２３の時と同様に、半回転の捻じりを加えた状態で両端を前記第５固定部材２５’と前記第６固定部材２６’に固定されている。
【００８３】
このような構造の前記第３装飾具本体２３’を前記スティック４に配置する際に、前記第５固定部材２５'は、前記スティック４に対して回転可能に配置し、前記第６固定部材２６’は、前記スティック４に対して回転しないように固定された状態とする。前記固定部材２５’は、前記ベース部材１７の中央に設けられた貫通孔１８に前記スティック４が挿入されるが、この時、前記貫通孔１８の直径の大きさは、前記スティック４の直径よりも大きいことにより、前記固定部材２５’は回転可能な状態となり、さらに、上下動も可能な状態で、前記スティック４に取り付けられる。
【００８４】
前記第６固定部材２６’は、前記ベース部材１５の中央に設けられた貫通孔１６に前記スティック４が挿入されるが、この時、前記貫通孔１６の直径を、前記スティック４の直径とほぼ同じあるは少し小さくして前記スティック４を嵌め込むようにすることで、前記固定部材２６’は前記スティック４に固定された状態となる。しかしながら、このような状態で固定されている前記固定部材２６’に力を加えればり、上下に移動させることは可能ではある。前記スティック装飾具２０’は、このようにして、前記第３装飾具本体２３’が前記スティック４に配置されている。
【００８５】
次に、前記第３装飾具本体２３’と、前記第１装飾具本体２および前記第２装飾具本体３との関係について説明する。前記第３装飾具本体２３’は、前記第２装飾具本体３内に配置されているが、この時、前記第３装飾具本体２３’の前記第５固定部材２５’の上に前記第２装飾具本体３の第３固定部材１３が位置し、さらに、前記第３固定部材１３の上に前記第１装飾具本体２の第２固定部材１２が位置している。前記第２固定部材１２と前記第３固定部材１３は互いに固定されているが、前記第５固定具２５’と前記第３固定具１３は互いに固定されておらず、かつ、前記第２固定部材１２、前記第３固定部材１３および前記第５固定部材２５’は、前記スティック４に回転可能に取り付けられており、そのため、上下動も可能となっている。
【００８６】
このような配置によって、スティック装飾具２０’は、前記第１装飾具本体２が、上端は固定され下端は回転及び上下動が可能となり、前記第２装飾具本体３が、上端および下端が回転及び上下動が可能となり、そして、前記第３装飾具本体２３’が、下端が固定されて上端が回転及び上下動が可能となる。
【００８７】
このようなスティック装飾具２０’を回転させると、図９（ｂ）に示すような像が表出され、前記第３装飾具本体２３’が、前記第２装飾具本体２内で浮いた状態で回転するようになる。このような動作は、前記スティック装飾具２０’を回転、そして反転を繰り返す間に生じる１つの動作であり、絶えずこのような状態となるわけではない。しかしながら、先に説明したスティック装飾具２０の場合は、前記第３装飾具本体２３が上端が固定され、下端が回転及び上下動が可能な構造であるために、図９（ａ）に示すような像を表出するのと比較すると、より、多様な形態に変化させることが可能になることがわかる。
【００８８】
前記スティック装飾具２０’は、前記スティック装飾具２０とは一部が異なるだけである。よって、前記スティック装飾具２０の第３装飾具本体２３を取り外して上下を入れ替えてスティック４には配置することで、簡単に前記スティック装飾具２０を前記スティック装飾具２０’の形態に変更することができる。よって、本発明のスティック装飾具は、利用者が簡単に別の形態に変更することも可能である。
【００８９】
次に、第４の実施形態のスティック装飾具３０について説明する。第４の実施形態のスティック装飾具３０は、図１６に示すように、水平方向に配置したスティック４の両端を回転装置３５によって保持し、そして回転させるものである。
【００９０】
本実施形態のスティック装飾具３０は、水平方向に配置されたスティック４、前記スティック４に左右に配置された第１装飾具本体２および第２装飾具本体３、および前記スティック４の両端を保持し、回転させる回転装置３５から構成される。前記第１装飾具本体２および前記第２装飾具本体３の基本的な構造は、第１の実施形態のスティック装飾具１とほぼ同じ構造であるので、詳細な説明は省略する。
【００９１】
前記回転装置３５は、前記スティック４の一方の端部（他の形態で言うところの先端）を保持する保持部３３と、前記スティック４の他方の端部（他の形態で言うところの下端）を保持し、前記スティック４を回転保持部３４とを有し、前記回転保持部３７内には前記スティック４を回転させるモーター等が内蔵される。
【００９２】
さらに、前記回転装置３５は前記モーターの作動を制御する制御部、および、前記モーターの電源として電池を内蔵しており、前記回転装置３５を作動させるスイッチ（図示せず）も設けられている。前記制御部は、前記モーターの回転を所定の時間で反転させる制御を行う。つまり、前記制御部は前記モーターの正回転と逆回転の切換を制御し、さらに、前記モーターの回転速度、および正回転と逆回転の切換を行う時間の制御も行うことが可能である。
【００９３】
第４の実施形態のスティック装飾具３１は、スティック４の向きを水平方向にすることにより、表れる像の向きが他の実施形態とは異なるものとなるので、見る人に新たな印象を与えることが可能となる。本実施形態において、第３の実施形態の様な第３装飾具本体を設けることも可能である。また、帯状部材に捻じりを加えることも可能である。
【００９４】
本発明のスティック装飾具は、これまで説明してきたように、２つの装飾具本体を上下に配置すること、また、第３装飾具本体を配置すること、帯状部材に捻じりを加えることによって様々な形態を実現し、従来よりも複雑で、様々な像を表すことが可能となり、見る人をより楽しませることができる。
【００９５】
次に、第５の実施形態のスティック装飾具４０について説明する。第５の実施形態のスティック装飾具４０は、第３の実施形態のスティック装飾具２０において、第２装飾具本体３の下に、もう１つの第２装飾具本体３を設けたものである。本実施形態について図面を用いて説明する。
【００９６】
前記スティック装飾具４０は、第３の実施形態のスティック装飾具２０と同じ構造の第１装飾具本体２、第２装飾具本体３およびスティック４を用いたものであり、図  ２２に示すように、前記第２装飾具本体３の下にもう１つの前記第２装飾具本体３を配置し、スティック装飾具を３段に配置したものである。１つの目の第２装飾具本体３の中には、第３装飾具本体２３が配置されている。
【００９７】
２つの第２装飾具本体３は、別々に回転可能に配置する場合と、互いに固定されて配置する場合の両方が可能である。また、２つ目の第２装飾具本体３の中にもう１つの第３装飾具本体２３を配置することも可能である。このように、装飾具本体の数を増やして３段に配置することで、スティック４を回転させ時に生じる像はより多様なものとなる。そして、さらにスティック装飾具の数を増やして、４段、５段の配置とすることも可能である。
【００９８】
次に、第６の実施形態のスティック装飾具４１について説明する。第６の実施形態のスティック装飾具４１は、ＬＥＤを用いて光による装飾効果をもたらすものである。前記スティック装飾具本体４１は、第１の実施形態のスティック装飾具１にＬＥＤを用いた照明を設けたものであり、図２３に示すように、前記スティック装飾具本体１の第２固定具７の代わりにＬＥＤ４３を内蔵した第２固定具４２を用い、第１固定具６の代わりにスイッチ４５を内蔵した第１固定具４４を用いたものである。
【００９９】
前記スティック装飾具４１は、第１装飾具本体２を固定する前記第２固定具４２および前記第１固定具４４以外の部材、第１装飾具本体２、第２装飾具本体３、およびスティック４等は、前記第１スティック装飾具１と同じものを用いるので、これらの部材については詳細な説明は省略し、前記第２固定具４２および前記第１固定具４４を中心に詳しく説明する。
【０１００】
図２４に示すように、前記第２固定具４２は、前記ＬＥＤ４３を、下方を照らすように内蔵しており、前記ＬＥＤ４３をレンズ４９で覆う構造を用いている。前記ＬＥＤ４３の光はレンズ４９によって拡散される。そして、前記第１固定具４４は前記ＬＥＤ４３をＯＮ／ＯＦＦするスイッチ４５を内蔵するとともに、前記ＬＥＤ４３の電源である電池４６を内蔵しており、前記ＬＥＤ４３、前記スイッチ４５、および前記電池４６は電気的に接続されている。
【０１０１】
前記ＬＥＤ４３からの光は前記レンズ４９によって拡散され、前記第１装飾具本体２を内側から照らすものである。前記第１装飾具本体２の第１帯状部材９をＬＥＤ４３からの光が照らした時に、前記第１帯状部材９の表面にホログラム加工、ミラー加工等を施していると、光が反射することで、さらなる視覚効果を生じる。前記第１装飾具本体２は回転した時に、前記第１帯状部材９が変形することから、前記ＬＥＤ４３からの光が当たる角度も変化することから、より複雑な視覚効果を生じることができる。
【０１０２】
前記ＬＥＤ４３の配置および前記スイッチ４５の形態は、特に限定するものではなく、例えば、複数のＬＥＤを配置すること、また、前記第１固定具４４自体を回転させてスイッチとして機能させることも可能である。
【符号の説明】
【０１０３】
１，１’  スティック装飾具
２，２’  第１装飾具本体
３，３’  第２装飾具本体
４        スティック
５        回転装置
６        第１固定具
７        第２固定具
８        ストッパー
９        第１帯状部材
１０      第２帯状部材
１１      第１固定部材
１２      第２固定部材
１３      第３固定部材
１４      第４固定部材
１５      ベース部材
１６      貫通孔
１７      ベース部材
１８      貫通孔
２０，２０’  スティック装飾具
２３，２３’  第３装飾具本体
２４      第３帯状部材
２５，２５’  第５固定部材
２６，２６’  第６固定部材
３０      スティック装飾具
３３      保持部
３４      回転保持部
３５      回転装置
３６      リモコン
３７      ボタン
３８      ボタン
３９      ボタン
４０      スティック装飾具
４１      スティック装飾具
４２      第２固定具
４３      ＬＥＤ
４４      第１固定具
４５      スイッチ
４６      電池
４７      軸
４８      止めネジ
４９      レンズ
【図１】
2014039804.tif 000003
【図２】
2014039804.tif 000004
【図３】
2014039804.tif 000005
【図４】
2014039804.tif 000006
【図５】
2014039804.tif 000007
【図６】
2014039804.tif 000008
【図７】
2014039804.tif 000009
【図８】
2014039804.tif 000010
【図９】
2014039804.tif 000011
【図１０】
2014039804.tif 000012
【図１１】
2014039804.tif 000013
【図１２】
2014039804.tif 000014
【図１３】
2014039804.tif 000015
【図１４】
2014039804.tif 000016
【図１５】
2014039804.tif 000017
【図１６】
2014039804.tif 000018
【図１７】
2014039804.tif 000019
【図１８】
2014039804.tif 000020
【図１９】
2014039804.tif 000021
【図２０】
2014039804.tif 000022
【図２１】
2014039804.tif 000023
【図２２】
2014039804.tif 000024
【図２３】
2014039804.tif 000025
【図２４】
2014039804.tif 000026